(57)【要約】【課題】風向きによってパイプ内の湿気の排出効率が大きく低下することのない植込み灯を提供する。【解決手段】この植込み灯１００は、地中に埋没する埋没部１ａと、この埋没部１ａの上方に設けられる通気孔１１とを有するパイプ１と、このパイプ１内の上部に配設され、ランプユニット４を支持する器具本体３と、ランプユニット４を器具本体３と共に覆うように器具本体３に取付けられ、当該取付け状態でパイプ１の上端縁１ｃに突き合う下端縁５４ａを有するカバーユニット５とを備えている。そして、パイプ１とカバーユニット５との突合せ部分には、略全周に亘って延びるスリットＳが形成されており、器具本体３には、スリットＳと通気孔１１とを連通させる通路３０が設けられている。【選択図】図２
2009009902.tif 000002
【特許請求の範囲】
【請求項１】
地中に埋没する埋没部と、この埋没部の上方に設けられる通気孔とを有するパイプと、
このパイプ内の上部に配設され、ランプユニットを支持する器具本体と、
前記ランプユニットを前記器具本体と共に覆うように器具本体に取付けられ、当該取付け状態で前記パイプの上端縁に突き合う下端縁を有するカバーユニットとを備えた植込み灯であって、
前記パイプと前記カバーユニットとの突合せ部分には、略全周に亘って延びるスリットが形成されており、
前記器具本体には、前記スリットと前記通気孔とを連通させる通路が設けられていることを特徴とする植込み灯。
【請求項２】
前記器具本体は、前記パイプに内嵌めされる外筒部と、この外筒部と同心で当該外筒部の内周側に所定間隔を隔てて配設され、前記ランプユニットを支持するとともに前記カバーユニットが取付けられる内筒部と、前記外筒部および前記内筒部を連結する連結部とを含み、
前記外筒部、前記内筒部および前記連結部により囲まれる空間部が、前記通路として機能することを特徴とする請求項１に記載の植込み灯。
【請求項３】
前記カバーユニットは、前記ランプユニットを囲むグローブと、このグローブの外周側に配設されるカバーとを含み、
前記外筒部は、前記パイプに取付けられる外筒本体と、この外筒本体の上部から前記スリットに入り込むように径外方向に延びて前記パイプの上端縁に上方から接触する外筒フランジとを有し、
前記内筒部は、前記グローブの下端を支持する内筒本体と、この内筒本体の上端部から径外方向に延び、その外端縁が前記カバーの内周面と所定間隔を隔てて対向する内筒フランジとを有し、
前記内筒フランジは、前記外筒本体に径方向でオーバーラップしており、
前記外筒本体の上面は、外方に向かって下るように傾斜していることを特徴とする請求項２に記載の植込み灯。
【請求項４】
前記器具本体は、前記パイプの内周側に所定間隔を隔てた状態で当該パイプに取付けられる筒部を含み、
この筒部と前記パイプとにより囲まれる空間部が、前記通路として機能することを特徴とする請求項１に記載の植込み灯。
【請求項５】
前記カバーユニットは、前記ランプユニットを囲うグローブと、このグローブの外周側に配設されるカバーとを含み、
前記筒部は、前記パイプに取付けられる下筒体と、この下筒体の上端部から縮径しながら上方に延びて前記グローブの下端を支持する上筒体と、前記下筒体と前記上筒体との境界部分から前記スリットに入り込むように径外方向に延びて前記パイプの上端縁および前記カバーユニットの下端縁の両方に非接触となるフランジとを有し、
前記スリットは、前記フランジによって上側スリットと下側スリットとに分けられ、前記下側スリットが前記通路に連通していることを特徴とする請求項４に記載の植込み灯。
【発明の詳細な説明】
【技術分野】
【０００１】
本発明は、地面に立設された状態で周囲を照らす植込み灯に関するものである。
【背景技術】
【０００２】
従来、駐車場の植込みや庭等の地面に立設され、その状態で周囲を照らす植込み灯が知られている。このような植込み灯は、支柱であるパイプの下部が地中に埋め込まれることで地面に立設されているため、地中の湿気がパイプ内に籠もりやすくなっている。これにより、パイプ頂部に配されるランプユニットの収容空間の内部に湿気が入り込んだ場合、ランプユニットを覆っているカバーユニットの内面に結露が発生し、この結露によって放射光量が低下するとともに、外観上の見栄えが悪くなるという不都合があった。
【０００３】
そこで、特許文献１のように、パイプに複数の通気孔を形成した植込み灯が提案されている。これらの通気孔は、パイプの周方向にずれて配されている。そして、風が吹くと、各通気孔近傍の気圧が互いに異なるようになり、その気圧差から、これらの通気孔を出入口としてパイプ内を通り抜ける気流が発生する。そして、この気流によってパイプ内の湿気が外部に排出されるようになっている。
【特許文献１】特開２００１−１６７６１３号公報
【発明の開示】
【発明が解決しようとする課題】
【０００４】
ところが、上記特許文献１のような構成では、各通気孔近傍の気圧が風向きに影響されるため、通気孔同士の気圧差の大きさが風向きによって大きく変化する。これにより、パイプ内を通り抜ける気流の速度が大きく変化し、風向きによっては、パイプ内を通り抜ける気流がほとんど発生しなくなることもあり、このような場合、パイプ内の湿気の排出効率が大きく低下することになる。
【０００５】
なお、駐車場や庭等の周囲に建造物が存在するような場所では、風が一定の方向から吹き続けることは稀であり、風向きが時々刻々変化するものである。
【０００６】
本発明は、上記のような課題を解決するためになされたものであり、風向きによってパイプ内の湿気の排出効率が大きく低下することのない植込み灯を提供することを目的とする。
【課題を解決するための手段】
【０００７】
請求項１の発明は、地中に埋没する埋没部と、この埋没部の上方に設けられる通気孔とを有するパイプと、このパイプ内の上部に配設され、ランプユニットを支持する器具本体と、前記ランプユニットを前記器具本体と共に覆うように器具本体に取付けられ、当該取付け状態で前記パイプの上端縁に突き合う下端縁を有するカバーユニットとを備えた植込み灯であって、前記パイプと前記カバーユニットとの突合せ部分には、略全周に亘って延びるスリットが形成されており、前記器具本体には、前記スリットと前記通気孔とを連通させる通路が設けられていることを特徴とするものである。
【０００８】
請求項２の発明は、請求項１に記載の植込み灯において、前記器具本体は、前記パイプに内嵌めされる外筒部と、この外筒部と同心で当該外筒部の内周側に所定間隔を隔てて配設され、前記ランプユニットを支持するとともに前記カバーユニットが取付けられる内筒部と、前記外筒部および前記内筒部を連結する連結部とを含み、前記外筒部、前記内筒部および前記連結部により囲まれる空間部が、前記通路として機能することを特徴とするものである。
【０００９】
請求項３の発明は、請求項２に記載の植込み灯において、前記カバーユニットは、前記ランプユニットを囲むグローブと、このグローブの外周側に配設されるカバーとを含み、前記外筒部は、前記パイプに取付けられる外筒本体と、この外筒本体の上部から前記スリットに入り込むように径外方向に延びて前記パイプの上端縁に上方から接触する外筒フランジとを有し、前記内筒部は、前記グローブの下端を支持する内筒本体と、この内筒本体の上端部から径外方向に延び、その外端縁が前記カバーの内周面と所定間隔を隔てて対向する内筒フランジとを有し、前記内筒フランジは、前記外筒本体に径方向でオーバーラップしており、前記外筒本体の上面は、外方に向かって下るように傾斜していることを特徴とするものである。
【００１０】
請求項４の発明は、請求項１に記載の植込み灯において、前記器具本体は、前記パイプの内周側に所定間隔を隔てた状態で当該パイプに取付けられる筒部を含み、この筒部と前記パイプとにより囲まれる空間部が、前記通路として機能することを特徴とするものである。
【００１１】
請求項５の発明は、請求項４に記載の植込み灯において、前記カバーユニットは、前記ランプユニットを囲うグローブと、このグローブの外周側に配設されるカバーとを含み、前記筒部は、前記パイプに取付けられる下筒体と、この下筒体の上端部から縮径しながら上方に延びて前記グローブの下端を支持する上筒体と、前記下筒体と前記上筒体との境界部分から前記スリットに入り込むように径外方向に延びて前記パイプの上端縁および前記カバーユニットの下端縁の両方に非接触となるフランジとを有し、前記スリットは、前記フランジによって上側スリットと下側スリットとに分けられ、前記下側スリットが前記通路に連通していることを特徴とするものである。
【発明の効果】
【００１２】
請求項１の発明によれば、パイプとカバーユニットとの突合せ部分に略全周に亘って延びるスリットを形成することによって、いずれの方向から吹く風も、スリットの風上に対応する部分から風下に対応する部分へとスリット内を滑らかに吹き抜けることになる。すなわち、風がどの方向から吹いても、その風速が等しければ、スリットを吹き抜ける風の速度はほぼ等速となる。さらに、器具本体にスリットと通気孔とを連通させる通路を設けることによって、風がスリットを吹き抜けることによって通路を介してパイプ内が減圧され（負圧になり）、通気孔からパイプ内に空気が流入し、この流入した空気が通路を通ってスリットを吹き抜ける風と共に外部に流出するようになるため、通気孔を入口としスリットを出口とするパイプ内を通り抜ける気流が自然に発生する。そして、当該気流によってパイプ内の湿気がスリットから外部に排出されるようになる。ここで、上述したように、風向きにかかわらず、スリットを吹き抜ける風の速度がほぼ一定であるので、風向きが変わってもパイプ内の気圧（負圧）が変化しにくい。これにより、パイプ内を通り抜ける気流の速度が変化しにくくなるので、パイプ内の湿気の排出効率が大きく低下することがなくなる。従って、ランプユニットの収容空間内に湿気が入り込むのを継続して抑えることができるので、カバーユニットの内面に結露が発生しにくくなり、結露による見栄えの悪化や放射光量の低下を防ぐことができる。
【００１３】
また、スリットと通気孔とを連通させる通路を器具本体に設けたので、通気孔を入口としスリットを出口とする気流が器具本体近傍に配されることになる。これにより、器具本体付近に湿気が滞留するのを確実に防ぐことができるので、ランプユニットの収容空間内に湿気が入り込むのをさらに抑えることができる。
【００１４】
請求項２の発明によれば、パイプに内嵌めされる一方で、ランプユニットを支持し、さらにカバーユニットが取付けられる器具本体に、通路を形成することが可能となる。
【００１５】
請求項３の発明によれば、グローブとカバーとの隙間を伝い落ちる雨水を、内筒フランジで受けた後、内筒フランジとカバーとの隙間を通して外筒本体の上面に誘導し、当該外筒本体および外筒フランジの上面からスリットを通して外部に排水することができる。
【００１６】
請求項４の発明によれば、パイプに内側から取付けられる一方で、ランプユニットを支持し、さらにカバーユニットが取付けられる器具本体に、通路を形成することが可能となる。
【００１７】
請求項５の発明によれば、グローブとカバーとの隙間を伝い落ちる雨水を、フランジの上面から上側スリットを通して外部に排水することができる。また、パイプ内の湿気を含んだ空気を、通路および下側スリットを通して外部に排出することができる。
【発明を実施するための最良の形態】
【００１８】
以下、本発明の実施形態を図面に基づいて説明する。
【００１９】
（第１実施形態）
図１は、本発明の第１実施形態による植込み灯の全体構成を示した分解斜視図であり、図２は、第１実施形態の植込み灯を設置した状態を示した部分断面正面図である。また、図３は、図２中のＩＩＩ−ＩＩＩ線に沿った断面図であり、図４は、図２に示した植込み灯のスリット近傍の構成を示した拡大断面図である。また、図５および図６は、第１実施形態の植込み灯における風の流路、空気の流路および雨水の流路を示した断面正面図である。まず、図１および図２を参照して、第１実施形態の植込み灯１００の全体構成について説明する。
【００２０】
第１実施形態の植込み灯１００は、駐車場の植込みや庭等の地面に立設され、その状態で周囲を照らすように構成されている。
【００２１】
この植込み灯１００は、図１および図２に示すように、支柱として機能するパイプ１と、地中Ｇ（図２参照）に埋設され、パイプ１下端の開口を通してパイプ１内に引き込まれる配線２と、パイプ１内の上部に配設される器具本体３と、器具本体３に支持され、配線２の引き込み側の端部に電気的に接続されるランプユニット４と、器具本体３と共にランプユニット４を覆うように器具本体３に取付けられるカバーユニット５とを備えている。
【００２２】
そして、本実施形態の植込み灯１００では、カバーユニット５の後述する下端縁５４ａがパイプ１の上端縁１ｃに突き合っており、このパイプ１とカバーユニット５との突合せ部分には、略全周に亘って延びるスリットＳ（図２参照）が形成されている。すなわち、パイプ１の上端縁１ｃとカバーユニット５の下端縁５４ａとの間に所定隙間（前記スリットＳ）が形成されるように、カバーユニット５が器具本体３に取付けられている。このように、植込み灯１００に略全周に亘って延びるスリットＳを設けることによって、いずれの方向から吹く風も、スリットＳの風上に対応する部分から風下に対応する部分へとスリットＳ内を滑らかに吹き抜けるようになる。なお、設置状態での植込み灯１００の地上高さは、約８０ｃｍ程度である。
【００２３】
以下、植込み灯１００の各構成要素について詳細に説明する。
【００２４】
パイプ１は、中空構造であり、当該パイプ１の下部を地中Ｇに埋め込むことで植込み灯１００が地面に立設されるようになっている。このパイプ１は、地中Ｇに埋没する埋没部１ａと、この埋没部１ａの上方に位置し、地上に露出する露出部１ｂとにより構成されている。なお、本実施形態では、埋没部１ａの長さが約４０ｃｍ程度となっている。
【００２５】
露出部１ｂには、通気孔１１が設けられている。この通気孔１１は、図２に示すように、露出部１ｂの下部の地面からある程度離れた位置に設けられるのが好ましい。このような位置に設ければ、地面近くの湿気等が通気孔１１からパイプ１内に入り込むのを抑えることができる。
【００２６】
露出部１ｂの上部には、同じ高さ位置でかつパイプ１の周方向に等角度間隔となるように３つのネジ挿入孔１２が設けられている。このネジ挿入孔１２には、パイプ１に器具本体３を固定するためのネジ６１が各々挿入されるようになっている。
【００２７】
配線２は、器具本体３の後述の孔３４ａに挿通されるとともにランプユニット４に電気的に接続されており、これによって当該ランプユニット４に電力を供給するように構成されている。
【００２８】
器具本体３は、パイプ１に上方から挿入され、その挿入状態でパイプ１の上部にネジ６１により固定されている。この器具本体３は、外筒部３１と、内筒部３２と、連結部３３と、支持板３４とを含んでいる。
【００２９】
外筒部３１は、パイプ１に内嵌めされるように構成されている。この外筒部３１は、外筒本体３１ａと、外筒フランジ３１ｂと、逆流防止部３１ｃとを有している。
【００３０】
外筒本体３１ａには、ネジ孔３１ｄが形成されている。ネジ孔３１ｄは、パイプ１のネジ挿入孔１２に挿入したネジ６１が螺合されるためのものであり、パイプ１のネジ挿入孔１２に対応するように周方向に等角度間隔で３つ（図１では２つのみ図示）設けられている。
【００３１】
外筒フランジ３１ｂは、図４に示すように、外筒本体３１ａの上部からスリットＳに入り込むように径外方向に延在している。この外筒フランジ３１ｂの上面は、カバーユニット５の下端縁５４ａとの間に所定の隙間を有しており、外筒フランジ３１ｂの下面は、パイプ１の上端縁１ｃに上方から接触している。すなわち、本実施形態では、外筒フランジ３１ｂの上面とカバーユニット５の下端縁５４ａとの隙間が、実質的なスリットＳとして機能するようになっている。
【００３２】
逆流防止部３１ｃは、外筒本体３１ａの上端に形成されており、その上面が径外方向に向けて下るように傾斜している。これにより、雨水等が外筒部３１を内周側に乗り越えるのを抑制可能となっている。
【００３３】
内筒部３２は、外筒部３１と同心で当該外筒部３１の内周側に所定間隔を隔てて配設されている。この内筒部３２には、カバーユニット５が取付けられている。また、内筒部３２は、内筒本体３２ａと、内筒フランジ３２ｂと、位置決め部３２ｃとを含んでいる。
【００３４】
内筒本体３２ａは、後述するグローブ５１の下端を支持するようになっている。内筒フランジ３２ｂは、内筒本体３２ａの上端部から径外方向に延在しており、その外端縁が後述のカバー５２の内周面と所定間隔を隔てて対向している。この内筒フランジ３２ｂとカバー５２との隙間を、雨水等が通過するようになっている。また、内筒フランジ３２ｂは、逆流防止部３１ｃに径方向でオーバーラップしており、これによって上記隙間を通過した雨水が逆流防止部３１ｃ上に落下するようになっている。
【００３５】
位置決め部３２ｃは、内筒本体３２ａの上端部から上方に筒状に延設されており、内筒本体３２ａにより支持されるグローブ５１の下端に内周側から接触することで、当該グローブ５１を内筒本体３２ａと同心となるように位置決めするものである。
【００３６】
連結部３３は、外筒部３１および内筒部３２を径方向に連結するためのものである。この連結部３３は、図３に示すように、外筒部３１と内筒部３２との間に周方向に等角度間隔となるように４つ設けられている。
【００３７】
上記のように構成された器具本体３は、外筒部３１と内筒部３２と連結部３３とにより囲まれる４つの通路３０を有している。各通路３０は、上下方向に延びており、その上端がスリットＳに繋がるとともにその下端がパイプ１内の空間に繋がっている。本実施形態では、これら４つの通路３０によって、スリットＳと通気孔１１とが連通している。
【００３８】
支持板３４は、内筒部３２下端の開口を塞ぐように設けられており、ランプユニット４を内筒部３２内に収容した状態で支持するものである。この支持板３４の略中央には、配線２を通過させるための孔３４ａが形成されている。また、孔３４ａの直上位置には、パッキン３６が配されており、配線２を支持板３４の孔３４ａに水密状態で挿通することが可能なようになっている。
【００３９】
ランプユニット４は、光源としてのランプ４１と、このランプ４１を支持するソケット４２とを有している。そして、ランプユニット４は、ランプ４１がパイプ１の上端縁１ｃよりも上方に突出する姿勢で器具本体３に支持されている。ソケット４２には、配線２が電気的に接続されている。
【００４０】
カバーユニット５は、ランプユニット４に覆い被さるように器具本体３に取付けられており、当該取付け状態でパイプ１の上端縁１ｃに突き合う下端縁５４ａを有している。このカバーユニット５は、グローブ５１と、カバー５２と、蓋５３とを含んでいる。
【００４１】
グローブ５１は、ランプユニット４を囲む筒状に形成されており、パッキン３５を介して内筒本体３２ａに支持されている。また、グローブ５１は、その外面に透過光を拡散させて和らげるためのプリズム部５１ａを有している。
【００４２】
カバー５２は、固定部５４と、一対の支柱５５と、天板５６とを有している。固定部５４は、グローブ５１の下部を取り囲むように当該グローブ５１の外周との間に僅かな隙間を有する状態で配設されている。この隙間は、雨水等を通過させるために設けられている。また、固定部５４には、周方向に等角度間隔となるように３つ（図１では２つのみ図示）のネジ孔５４ｂが形成されている。各ネジ孔５４ｂには、ネジ６２が螺合されるようになっている。ネジ６２は、図４に示すように、螺合状態でその先端が固定部５４の内面側に突出するとともに、その突出先端が内筒フランジ３２ｂの下面に下方から接触するように構成されており、これによってカバーユニット５が上抜けすることなく器具本体３に固定されている。
【００４３】
支柱５５は、固定部５４の上面の対称位置から上方に各々延設されており、それらの上端部で天板５６を支持している。また、天板５６は、ランプユニット４の上方に配されている。この天板５６の下面には、パッキン５７を介してグローブ５１の上端が突き当たっている。このように、グローブ５１の上下に設けられたパッキン３５，５７によって、ランプユニット４を含む空間の水密性が十分に確保されている。
【００４４】
蓋５３は、下面開口の筒状（キャップ状）を呈しており、カバー５２に上方から被さる姿勢で天板５６にネジ６３により固定されている。
【００４５】
このように構成された植込み灯１００では、地中Ｇの湿気（図２の二点鎖線参照）がパイプ１内に籠もりやすくなっている。そして、パイプ１の頂部に設けたランプユニット４の収容空間に湿気が入り込んだ場合、ランプユニット４を覆っているカバーユニット５の内面に結露が発生する。
【００４６】
しかし、本実施形態によれば、風が吹けば、当該風がスリットＳを吹き抜けるので（図５および図６の矢印Ａ参照）、パイプ１内の気圧が低下する。これにより、通気孔１１から空気が流入し、この流入した空気はパイプ１内のより気圧の低い方向（上方）に向けて移動する（矢印Ｂ参照）。このとき、パイプ１内の湿気も空気と共に上方に移動する。そして、これらの空気および湿気は、スリットＳを吹き抜ける風とともにスリットＳから外部に流出する（矢印Ａ＋Ｂ参照）。このようにして、上記したような結露の発生を防ぐことができる。
【００４７】
また、上記構成の植込み灯１００によれば、グローブ５１に向けて斜め上方から降り込んだ雨水（図５および図６の矢印Ｃ参照）は、グローブ５１とカバー５４との隙間を通って内筒フランジ３２ｂの上面に流れ落ち、さらに、内筒フランジ３２ｂとカバー５４との隙間を通って逆流防止部３１ｃの上面に流れ落ちる。そして、スリットＳを通って外部に排水される。
【００４８】
第１実施形態では、上記のように、パイプ１とカバーユニット５との突合せ部分に略全周に亘って延びるスリットＳを形成することによって、いずれの方向から吹く風も、スリットＳの風上に対応する部分から風下に対応する部分へとスリットＳ内を滑らかに吹き抜けることになる。すなわち、風がどの方向から吹いても、その風速が等しければ、スリットＳを吹き抜ける風の速度はほぼ等速となる。さらに、器具本体３にスリットＳと通気孔１１とを連通させる通路３０を設けることによって、風がスリットＳを吹き抜けることによって通路３０を介してパイプ１内が減圧され（負圧になり）、通気孔１１からパイプ１内に空気が流入し、この流入した空気が通路３０を通ってスリットＳを吹き抜ける風と共に外部に流出するようになるため、通気孔１１を入口としスリットＳを出口とするパイプ１内を通り抜ける気流が自然に発生する。そして、当該気流によってパイプ１内の湿気がスリットＳから外部に排出されるようになる。ここで、上述したように、風向きにかかわらず、スリットＳを吹き抜ける風の速度がほぼ一定であるので、風向きが変わってもパイプ１内の気圧（負圧）が変化しにくい。これにより、パイプ１内を通り抜ける気流の速度が変化しにくくなるので、パイプ１内の湿気の排出効率が大きく低下することがなくなる。従って、ランプユニット４の収容空間内に湿気が入り込むのを継続して抑えることができるので、グローブ５１の内面に結露が発生しにくくなり、結露による見栄えの悪化や放射光量の低下を防ぐことができる。
【００４９】
また、スリットＳと通気孔１１とを連通させる通路３０を器具本体３に設けたので、通気孔１１を入口としスリットＳを出口とする気流が器具本体３近傍に配されることになる。これにより、器具本体３付近に湿気が滞留するのを確実に防ぐことができるので、ランプユニット４の収容空間内に湿気が入り込むのをさらに抑えることができる。
【００５０】
また、第１実施形態の植込み灯１００によれば、グローブ５１とカバー５２との隙間を伝い落ちる雨水を、内筒フランジ３２ｂで受けた後、内筒フランジ３２ｂとカバー５２との隙間を通して逆流防止部３１ｃの上面に誘導し、当該逆流防止部３１ｃおよび外筒フランジ３１ｂの上面からスリットＳを通して外部に排水することができる。
【００５１】
また、第１実施形態では、上記のように、スリットＳと通気孔１１とが高さ方向にある程度離れて配置されているため、通気孔１１を入口としスリットＳを出口とする気流の速度がいわゆるトンネル効果によって早くなっている。これにより、パイプ１内の湿気の排出効率が向上している。
【００５２】
（第２実施形態）
図７は、本発明の第２実施形態による植込み灯を設置した状態を示した部分断面正面図であり、図８は、図５に示した植込み灯のスリット近傍の構成を示した拡大断面図である。また、図９および図１０は、第２実施形態の植込み灯における風の流路、空気の流路および雨水の流路を示した断面正面図である。
【００５３】
この第２実施形態の植込み灯２００は、第１実施形態の器具本体３とは異なる構成の器具本体２０３を備えており、これに伴ってスリットＳ´および通路２３０の構成も第１実施形態とは異なっている。
【００５４】
具体的には、第２実施形態の器具本体２０３は、パイプ１に完全に嵌まり込むことなく上方に僅かに浮いた状態でパイプ１に取付けられている。この器具本体２０３は、図７および図８に示すように、筒部２３１と、第１実施形態と同様の構成の支持板３４とにより構成されている。
【００５５】
筒部２３１は、パイプ１の内周側に所定間隔を隔てた状態で当該パイプ１に取付けられる下筒体２３１ａと、この下筒体２３１ａの上端部から縮径しながら上方に延びてグローブ５１の下端を支持する上筒体２３１ｂと、下筒体２３１ａおよび上筒体２３１ｂの境界部分からスリットＳ´に入り込むように径外方向に延びてパイプ１の上端縁１ｃおよびカバーユニット５の下端縁５４ａの両方に非接触となる下側フランジ２３１ｃと、上筒体２３１ｂの上端部から径外方向に延び、その外端縁がカバー５２の内周面と所定間隔を隔てて対向する上側フランジ２３１ｄとを有している。
【００５６】
そして、本実施形態の植込み灯２００では、パイプ１とカバーユニット５との突合せ部分に略全周に亘って延びるスリットＳ´が形成されており、このスリットＳ´は、図８に示すように、下側フランジ２３１ｃによって下側スリットＳ１と上側スリットＳ２とに分けられている。
【００５７】
また、器具本体２０３は、下筒体２３１ａとパイプ１とにより囲まれる通路２３０を有している。この通路２３０は、上下方向に延びており、その上端が下側スリットＳ１に繋がるとともにその下端がパイプ１内の空間に繋がっている。本実施形態では、この通路２３０によって、下側スリットＳ１と通気孔１１とが連通している。
【００５８】
この第２実施形態の植込み灯２００によれば、風が吹けば、当該風が下側スリットＳ１を吹き抜けるので（図９および図１０の矢印Ｄ参照）、パイプ１内の気圧が低下する。これにより、通気孔１１から空気が流入し、この流入した空気はパイプ１内のより気圧の低い方向（上方）に向けて移動する（矢印Ｅ参照）。このとき、パイプ１内の湿気も空気と共に上方に移動する。そして、これらの空気および湿気は、下側スリットＳ１を吹き抜ける風とともに下側スリットＳ１から外部に流出する（矢印Ｄ＋Ｅ参照）。このようにして、カバーユニット５の内面に結露が発生するのを防ぐことができる。
【００５９】
また、上記構成の植込み灯２００によれば、グローブ５１に向けて斜め上方から降り込んだ雨水（図９および図１０の矢印Ｆ参照）は、グローブ５１とカバー５４との隙間を通って上側フランジ２３１ｄの上面に流れ落ち、さらに、上側フランジ２３１ｄとカバー５４との隙間を通って下側フランジ２３１ｃの上面に流れ落ちる。そして、上側スリットＳ２を通って外部に排水される。
【００６０】
第２実施形態の植込み灯２００によれば、グローブ５１とカバー１との隙間を伝い落ちる雨水を、下側フランジ２３１ｃの上面から上側スリットＳ２を通して外部に排水することができる。また、パイプ１内の湿気を含んだ空気を、通路２３０および下側スリットＳ１を通して外部に排出することができる。
【００６１】
また、第２実施形態の植込み灯２００では、器具本体２０３を上方に浮かせた状態でパイプ１に固定することによって、容易に通路２３０を形成することが可能となっている。
【００６２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６３】
例えば、第１実施形態の器具本体３を、第２実施形態の器具本体２０３のように、上方に浮かした態様でパイプ１に取付ける構成であってもよい。この場合、スリットＳと通気孔１１とを連通させる通路が、外筒部３１の径方向外側と内側とに各々形成されることになる。
【００６４】
また、上記実施形態では、パイプに設ける通気孔の数は、当該植込み灯の外観が著しく悪化しない範囲であれば制限するものではない。
【００６５】
また、上記実施形態では、地面に直接埋め込まれた植込み灯に本発明を適用する例について示したが、これに限らず、コンクリート基礎を介して地面に立設される植込み灯にも本発明を適用可能である。なお、コンクリート基礎は一般に完全に乾燥するのに長い年月を要するものであり、それまでは、コンクリートから水分が蒸発し続けるため、植込み灯を地面に直接埋め込む場合と同様、植込み灯のパイプ内に多量の湿気が籠もりやすくなっている。従って、本発明を適用することによって、十分な効果が得られるものである。
【図面の簡単な説明】
【００６６】
【図１】本発明の第１実施形態による植込み灯の全体構成を示した分解斜視図である。
【図２】第１実施形態の植込み灯を設置した状態を示した部分断面正面図である。
【図３】図２中のＩＩＩ−ＩＩＩ線に沿った断面図である。
【図４】図２に示した植込み灯のスリット近傍の構成を示した拡大断面図である。
【図５】図２に示した植込み灯における風の流路、空気の流路および雨水の流路を示した断面正面図である。
【図６】図４に示した植込み灯における風の流路、空気の流路および雨水の流路を示した断面正面図である。
【図７】本発明の第２実施形態による植込み灯を設置した状態を示した部分断面正面図である。
【図８】図５に示した植込み灯のスリット近傍の構成を示した拡大断面図である。
【図９】図７に示した植込み灯における風の流路、空気の流路および雨水の流路を示した断面正面図である。
【図１０】図８に示した植込み灯における風の流路、空気の流路および雨水の流路を示した断面正面図である。
【符号の説明】
【００６７】
１  パイプ
１ａ  埋没部
１ｃ  上端縁
３，２０３  器具本体
４  ランプユニット
５  カバーユニット
１１  通気孔
３０，２３０  通路
３１  外筒部
３１ａ  外筒本体
３１ｂ  外筒フランジ
３２  内筒部
３２ａ  内筒本体
３２ｂ  内筒フランジ
３３  連結部
５１  グローブ
５２  カバー
５４ａ  下端縁
１００，２００  植込み灯
２３１  筒部
２３１ａ  下筒体
２３１ｂ  上筒体
２３１ｃ  下側フランジ（フランジ）
Ｓ，Ｓ´  スリット
Ｓ１  下側スリット
Ｓ２  上側スリット
【図１】
2009009902.tif 000003
【図２】
2009009902.tif 000004
【図３】
2009009902.tif 000005
【図４】
2009009902.tif 000006
【図５】
2009009902.tif 000007
【図６】
2009009902.tif 000008
【図７】
2009009902.tif 000009
【図８】
2009009902.tif 000010
【図９】
2009009902.tif 000011
【図１０】
2009009902.tif 000012